(57)【要約】【課題】心機能診断薬を用いて異なる環境下で取得したデータから算出した診断指標を互いに精度良く比較可能にする。【解決手段】第１及び第２の撮像環境でファントムを撮像した第１及び第２のファントム画像のデータであるファントムデータを記憶するファントム画像データ記憶部１１と、デジタルファントムのデータであるデジタルファントムデータとを記憶したデジタルファントムデータ記憶部１３と、第１及び第２のファントム画像にデジタルファントムの位置合わせを行ってＲＯＩを設定する位置合わせ処理部２１と、第１及び第２のファントム画像から第１及び第２のＨ／Ｍ比を算出するＨ／Ｍ比算出部２５と、第１のＨ／Ｍ比を、第２のＨ／Ｍ比に変換するための変換関数を算出する変換関数算出部２７とを備える。【選択図】図１
2014215221.tif 000002
【特許請求の範囲】
【請求項１】
第１の撮像環境でファントムを撮像した第１のファントム画像及び第２の撮像環境で前記ファントムを撮像した第２のファントム画像のデータであるファントムデータと、心臓ＲＯＩ及び縦隔ＲＯＩを有するデジタルファントムのデータであるデジタルファントムデータとを記憶した記憶部を有する情報処理装置に実行させるためのコンピュータプログラムであって、
前記ファントムデータ及び前記デジタルファントムデータに基づいて、前記第１のファントム画像に前記デジタルファントムの位置合わせを行って、前記心臓ＲＯＩ及び前記縦隔ＲＯＩを設定するステップと、
前記ファントムデータ及び前記デジタルファントムデータに基づいて、前記第２のファントム画像に前記デジタルファントムの位置合わせを行って、前記心臓ＲＯＩ及び前記縦隔ＲＯＩを設定するステップと、
前記心臓ＲＯＩ及び前記縦隔ＲＯＩが設定されている前記第１のファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出するステップと、
前記心臓ＲＯＩ及び前記縦隔ＲＯＩが設定されている前記第２のファントム画像のファントムデータに基づいて、前記第２の撮像環境における前記ファントムのＨ／Ｍ比である第２のファントムＨ／Ｍ比を算出するステップと、
前記第１のファントムＨ／Ｍ比を、前記第２のファントムＨ／Ｍ比に変換するための変換関数を導出するステップと、を前記情報処理装置に実行させるためのコンピュータプログラム。
【請求項２】
第１の撮像環境でファントムを所定の撮像条件で撮像したファントム画像のデータであるファントムデータと、心臓ＲＯＩ及び縦隔ＲＯＩを有するデジタルファントムのデータであるデジタルファントムデータとを記憶した記憶部を有する情報処理装置に実行させるためのコンピュータプログラムであって、
前記ファントムデータ及び前記デジタルファントムデータに基づいて、前記ファントム画像に前記デジタルファントムの位置合わせを行って、前記心臓ＲＯＩ及び前記縦隔ＲＯＩを設定するステップと、
前記心臓ＲＯＩ及び前記縦隔ＲＯＩが設定されている前記ファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出するステップと、
前記第１のファントムＨ／Ｍ比を、撮像環境に依存しない前記撮像条件から定まるＨ／Ｍ比に変換するための変換関数を導出するステップと、を前記情報処理装置に実行させるためのコンピュータプログラム。
【請求項３】
第１の撮像環境におけるＨ／Ｍ比を、第２の撮像環境におけるＨ／Ｍ比へ変換する変換関数によってＨ／Ｍ比を変換するための処理を情報処理装置に実行させるコンピュータプログラムであって、
前記情報処理装置は、
前記第１の撮像環境で被験者を撮像した被験者画像のデータである被験者データを記憶した記憶部を有し、
前記変換関数は、
前記第１の撮像環境でファントムを撮像した第１のファントム画像及び前記第２の撮像環境で前記ファントムを撮像した第２のファントム画像のデータであるファントムデータと、心臓ＲＯＩ及び縦隔ＲＯＩを有するデジタルファントムのデータであるデジタルファントムデータとに基づいて、前記第１のファントム画像に前記デジタルファントムの位置合わせを行って、前記心臓ＲＯＩ及び前記縦隔ＲＯＩを設定し、かつ、前記第２のファントム画像に前記デジタルファントムの位置合わせを行って、前記心臓ＲＯＩ及び前記縦隔ＲＯＩを設定し、
前記心臓ＲＯＩ及び前記縦隔ＲＯＩが設定されている前記第１のファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出し、かつ、前記心臓ＲＯＩ及び前記縦隔ＲＯＩが設定されている前記第２のファントム画像のファントムデータに基づいて、前記第２の撮像環境における前記ファントムのＨ／Ｍ比である第２のファントムＨ／Ｍ比を算出し、
前記第１のファントムＨ／Ｍ比及び前記第２のファントムＨ／Ｍ比に基づいて導出された、前記変換関数であり、
前記コンピュータプログラムは、
前記被験者データに基づいて、前記被験者画像に心臓ＲＯＩ及び縦隔ＲＯＩを設定するステップと、
前記心臓ＲＯＩ及び前記縦隔ＲＯＩが設定されている前記被験者画像の被験者データに基づいて、前記第１の撮像環境における前記被験者のＨ／Ｍ比である第１の被験者Ｈ／Ｍ比を算出するステップと、
前記第１の被験者Ｈ／Ｍ比を、前記変換関数を用いて変換するステップと、を前記情報処理装置に実行させるコンピュータプログラム。
【請求項４】
第１の撮像環境の所定の撮像条件におけるＨ／Ｍ比を、撮像環境に依存しない前記撮像条件から定まるＨ／Ｍ比へ変換するための処理を情報処理装置に実行させるコンピュータプログラムであって、
前記情報処理装置は、
前記第１の撮像環境で被験者を撮像した被験者画像のデータである被験者データを記憶した記憶部を有し、
前記変換関数は、
前記第１の撮像環境でファントムを前記所定の撮像条件で撮像したファントム画像のデータであるファントムデータと、心臓ＲＯＩ及び縦隔ＲＯＩを有するデジタルファントムのデータであるデジタルファントムデータとに基づいて、前記ファントム画像に前記デジタルファントムの位置合わせを行って、前記心臓ＲＯＩ及び前記縦隔ＲＯＩを設定し、
前記心臓ＲＯＩ及び前記縦隔ＲＯＩが設定されている前記ファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出し、
前記第１のファントムＨ／Ｍ比及び前記撮像条件から定まるＨ／Ｍ比から導出された、前記変換関数であり、
前記コンピュータプログラムは、
前記被験者データに基づいて、前記被験者画像に心臓ＲＯＩ及び縦隔ＲＯＩを設定するステップと、
前記心臓ＲＯＩ及び前記縦隔ＲＯＩが設定されている前記被験者画像の被験者データに基づいて、前記第１の撮像環境における前記被験者のＨ／Ｍ比である第１の被験者Ｈ／Ｍ比を算出するステップと、
前記第１の被験者Ｈ／Ｍ比を、前記変換関数を用いて変換するステップと、を前記情報処理装置に実行させるコンピュータプログラム。
【請求項５】
前記被験者画像は、ＭＩＢＧ（１２３Ｉ−３−ｉｏｄｏｂｅｎｚｙｌｇｕａｎｉｄｉｎｅ）が投与された前記被験者を撮像したプラナ画像である、請求項３または４に記載のコンピュータプログラム。
【請求項６】
第１の撮像環境でファントムを撮像した第１のファントム画像及び第２の撮像環境で前記ファントムを撮像した第２のファントム画像のデータであるファントムデータと、心臓ＲＯＩ及び縦隔ＲＯＩを有するデジタルファントムのデータであるデジタルファントムデータとを記憶した記憶手段と、
前記ファントムデータ及び前記デジタルファントムデータに基づいて、前記第１のファントム画像に前記デジタルファントムの位置合わせを行って、前記第１のファントム画像に前記心臓ＲＯＩ及び前記縦隔ＲＯＩを設定し、前記第２のファントム画像に前記デジタルファントムの位置合わせを行って、前記第２のファントム画像に前記心臓ＲＯＩ及び前記縦隔ＲＯＩを設定する位置合わせ手段と、
前記心臓ＲＯＩ及び前記縦隔ＲＯＩが設定されている前記第１のファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出し、前記心臓ＲＯＩ及び前記縦隔ＲＯＩが設定されている前記第２のファントム画像のファントムデータに基づいて、前記第２の撮像環境における前記ファントムのＨ／Ｍ比である第２のファントムＨ／Ｍ比を算出するＨ／Ｍ比算出手段と、
前記第１のファントムＨ／Ｍ比を、前記第２のファントムＨ／Ｍ比に変換するための変換関数を算出する変換関数算出手段と、を備える情報処理装置。
【請求項７】
第１の撮像環境でファントムを所定の撮像条件で撮像したファントム画像のデータであるファントムデータと、心臓ＲＯＩ及び縦隔ＲＯＩを有するデジタルファントムのデータであるデジタルファントムデータとを記憶した記憶手段と、
前記ファントムデータ及び前記デジタルファントムデータに基づいて、前記ファントム画像に前記デジタルファントムの位置合わせを行って、前記心臓ＲＯＩ及び前記縦隔ＲＯＩを設定する位置合わせ手段と、
前記心臓ＲＯＩ及び前記縦隔ＲＯＩが設定されている前記ファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出するＨ／Ｍ比算出手段と、
前記第１のファントムＨ／Ｍ比を、前記撮像条件から定まるＨ／Ｍ比に変換するための変換関数を算出する変換関数算出手段と、を備える情報処理装置。
【請求項８】
第１の撮像環境で被験者を撮像した被験者画像のデータである被験者データを記憶した記憶手段と、
前記被験者データに基づいて、前記被験者画像に心臓ＲＯＩ及び縦隔ＲＯＩを設定するＲＯＩ設定手段と、
前記心臓ＲＯＩ及び前記縦隔ＲＯＩが設定されている前記被験者画像の被験者データに基づいて、前記第１の撮像環境における前記被験者のＨ／Ｍ比である第１の被験者Ｈ／Ｍ比を算出するＨ／Ｍ比算出手段と、
前記第１の被験者Ｈ／Ｍ比を変換関数を用いて変換する変換手段と、を備え、
前記変換関数は、
前記第１の撮像環境でファントムを撮像した第１のファントム画像及び第２の撮像環境で前記ファントムを撮像した第２のファントム画像のデータであるファントムデータと、心臓ＲＯＩ及び縦隔ＲＯＩを有するデジタルファントムのデータであるデジタルファントムデータとに基づいて、前記第１のファントム画像に前記デジタルファントムの位置合わせを行って、前記心臓ＲＯＩ及び前記縦隔ＲＯＩを設定し、かつ、前記第２のファントム画像に前記デジタルファントムの位置合わせを行って、前記心臓ＲＯＩ及び前記縦隔ＲＯＩを設定し、
前記心臓ＲＯＩ及び前記縦隔ＲＯＩが設定されている前記第１のファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出し、かつ、前記心臓ＲＯＩ及び前記縦隔ＲＯＩが設定されている前記第２のファントム画像のファントムデータに基づいて、前記第２の撮像環境における前記ファントムのＨ／Ｍ比である第２のファントムＨ／Ｍ比を算出し、
前記第１のファントムＨ／Ｍ比及び前記第２のファントムＨ／Ｍ比に基づいて導出された関数である、情報処理装置。
【請求項９】
第１の撮像環境で被験者を撮像した被験者画像のデータである被験者データを記憶した記憶手段と、
前記被験者データに基づいて、前記被験者画像に心臓ＲＯＩ及び縦隔ＲＯＩを設定するＲＯＩ設定手段と、
前記心臓ＲＯＩ及び前記縦隔ＲＯＩが設定されている前記被験者画像の被験者データに基づいて、前記第１の撮像環境における前記被験者のＨ／Ｍ比である第１の被験者Ｈ／Ｍ比を算出するＨ／Ｍ比算出手段と、
前記第１の被験者Ｈ／Ｍ比を変換関数を用いて変換する変換手段と、を備え、
前記変換関数は、
前記第１の撮像環境でファントムを所定の撮像条件で撮像したファントム画像のデータであるファントムデータと、心臓ＲＯＩ及び縦隔ＲＯＩを有するデジタルファントムのデータであるデジタルファントムデータとに基づいて、前記ファントム画像に前記デジタルファントムの位置合わせを行って、前記心臓ＲＯＩ及び前記縦隔ＲＯＩを設定し、
前記心臓ＲＯＩ及び前記縦隔ＲＯＩが設定されている前記ファントム画像のファントムデータに基づいて、前記第１の撮像環境における前記ファントムのＨ／Ｍ比である第１のファントムＨ／Ｍ比を算出し、
前記第１のファントムＨ／Ｍ比、及び撮像環境に依存しない前記撮像条件から定まるＨ／Ｍ比に基づいて導出された関数である、情報処理装置。
【発明の詳細な説明】
【技術分野】
【０００１】
本発明は、被験者の診断を支援するための指標を標準化する技術に関し、例えば、異なる環境下で取得したデータから算出した指標を互いに比較可能にする情報処理技術に関する。
【背景技術】
【０００２】
心臓の機能を診断するための診断薬（心機能診断薬）を被験者に投与し、その被験者を撮像した画像を解析して診断支援のための指標を算出することが行われている。心機能診断薬には、例えば、心筋などに集積する性質を有する放射性医薬品（以下、ＲＩ（Ｒａｄｉｏ  Ｉｓｏｔｏｐｅ）薬剤と称する場合がある）として、ＭＩＢＧ（３−ｉｏｄｏｂｅｎｚｙｌｇｕａｎｉｄｉｎｅ）、ＭＩＢＩ（ｔｅｃｈｎｅｔｉｕｍ  ｈｅｘａｋｉｓ−２−ｍｅｔｈｏｘｙｉｓｏｂｕｔｙｌｉｓｏｎｉｔｒｉｌｅ）、または塩化タリウム（ｔｈａｌｌｉｕｍ  ｃｈｌｏｒｉｄｅ）等がある。例えば、ＭＩＢＧを被験者に投与した後、その被験者から放出された放射能を検出して得られるＲＩプラナ画像からは、心臓領域の平均カウント値と縦隔領域の平均カウント値を比較した心／縦隔比（Ｈｅａｒｔ／Ｍｅｄｉａｓｔｉｎｕｍ比、Ｈ／Ｍ比）という指標が求まる。このＨ／Ｍ比は、心臓疾患を有する被験者の診断、重症度および予後評価に用いられている（非特許文献１〜３）。さらに、神経疾患でも、レビー小体病の鑑別を行う際に利用される（非特許文献４）。
【０００３】
ＭＩＢＩにおいては心筋からの洗い出しの定量により、虚血性心疾患、心不全、心サルコイドーシス等の心疾患における心筋傷害の評価に用いられる。その際にはＲＩ薬剤投与後の第１の時間帯に撮影した早期像のカウント値と、第１の時間帯より後の第２の時間帯に撮像した後期像のカウント値から求まる、心筋から洗い出されたＲＩ薬剤の割合を示す心筋洗い出し率（Ｗａｓｈｏｕｔ  ｒａｔｅ、ＷＲ）が指標として用いられる。また、その他の放射性医薬品、例えば塩化タリウムにおいても、心筋への取り込みを測定するためにＨ／Ｍ比を診断に利用することがある。
【０００４】
また、Ｈ／Ｍ比を算出する際に術者間で個人差を生じないようにするための技術が、特許文献１に記載されている。
【０００５】
さらに、異なる撮像環境で撮像されたＲＩプラナ画像から算出されたＨ／Ｍ比を比較する際に、その撮像環境の違いに起因するＨ／Ｍ比の違いを除去し、異なる撮像環境で撮像されたＲＩプラナ画像から算出されたＨ／Ｍ比を互いに比較可能にするための技術が知られている（非特許文献５）。
【先行技術文献】
【特許文献】
【０００６】
【特許文献１】特開２０１２−７８０８８号公報
【非特許文献】
【０００７】
【非特許文献１】日本循環器学会、循環器病の診断と治療に関するガイドライン（２００３−２００４年度合同研究班報告）「心臓核医学検査ガイドライン」、Ｃｉｒｃｕｌａｔｉｏｎ  Ｊｏｕｒｎａｌ  Ｖｏｌ．６９、Ｓｕｐｐｌ．ＩＶ、１１２５−１２０２、２００６
【非特許文献２】心不全と交感神経機能  病態生理から予後評価までの画像診断  「ＭＩＢＧ検査と定量法」、中嶋  憲一著、３４−４２、２００２、メジカルビュー社
【非特許文献３】臨床で交感神経活動をどう評価するか−ＭＩＢＧによる心疾患の交感神経イメージング−、福山  尚哉著、Ｈｅａｒｔ  Ｖｉｅｗ、１４（８）  １４−２０、２０１０
【非特許文献４】特集  ＭＩＢＧ心筋シンチグラフィーと神経疾患「神経疾患におけるＭＩＢＧ  シンチグラフィーの位置づけ」、滝  淳一著、神経内科、６４（６）：５８５−５９２、２００６
【非特許文献５】Ｓｔａｎｄａｒｄｉｚａｔｉｏｎ  ｏｆ  ｍｅｔａｉｏｄｏｂｅｎｚｙｌｇｕａｎｉｄｉｎｅ  ｈｅａｒｔ  ｔｏ  ｍｅｄｉａｓｔｉｎｕｍ  ｒａｔｉｏ  ｕｓｉｎｇ  ａ  ｃａｌｉｂｒａｔｉｏｎ  ｐｈａｎｔｏｍ：ｅｆｆｅｃｔｓ  ｏｆ  ｃｏｒｒｅｃｔｉｏｎ  ｏｎ  ｎｏｒｍａｌ  ｄａｔａｂａｓｅ  ａｎｄ  ａ  ｍｕｌｔｉｃｅｎｔｒｅ  ｓｔｕｄｙ，  Ｋｅｎｉｃｈｉ  Ｎａｋａｊｉｍａ他、Ｅｕｒ  Ｊ  Ｎｕｃｌ  Ｍｅｄ  Ｍｏｌ  Ｉｍａｇｉｎｇ（２０１２）  ３９：１１３−１１９
【発明の概要】
【発明が解決しようとする課題】
【０００８】
非特許文献５の技術により、異なる撮像環境で撮像されたＲＩプラナ画像から算出されたＨ／Ｍ比を互いに比較することが可能になっている。すなわち、非特許文献５の技術では、ある撮像環境から求まるＨ／Ｍ比を他の撮像環境から求まるべきＨ／Ｍ比へ変換するための関数（回帰式）を算出し、これを用いることにより、両者を比較可能としている。
【０００９】
本発明の別の目的は、異なる撮像環境で撮像した画像から算出したＨ／Ｍ比を互いに比較する際の精度を向上することである。
【課題を解決するための手段】
【００１０】
本発明の一つの実施態様に従うコンピュータプログラムは、第１の撮像環境でファントムを撮像した第１のファントム画像及び第２の撮像環境で前記ファントムを撮像した第２のファントム画像のデータであるファントムデータと、心臓ＲＯＩ及び縦隔ＲＯＩを有するデジタルファントムのデータであるデジタルファントムデータとを記憶した記憶部を有する情報処理装置に実行させるためのコンピュータプログラムであって、前記ファントムデータ及び前記デジタルファントムデータに基づいて、前記第１のファントム画像に前記デジタルファントムの位置合わせを行って、前記心臓ＲＯＩ及び前記縦隔ＲＯＩを設定するステップと、前記ファントムデータ及び前記デジタルファントムデータに基づいて、前記第２のファントム画像に前記デジタルファントムの位置合わせを行って、前記心臓ＲＯＩ及び前記縦隔ＲＯＩを設定するステップと、前記心臓ＲＯＩ及び前記縦隔ＲＯＩが設定されている前記第１のファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出するステップと、前記心臓ＲＯＩ及び前記縦隔ＲＯＩが設定されている前記第２のファントム画像のファントムデータに基づいて、前記第２の撮像環境における前記ファントムのＨ／Ｍ比である第２のファントムＨ／Ｍ比を算出するステップと、前記第１のファントムＨ／Ｍ比を、前記第２のファントムＨ／Ｍ比に変換するための変換関数を導出するステップと、を前記情報処理装置に実行させる。
【００１１】
本発明の一つの実施態様に従うコンピュータプログラムは、第１の撮像環境でファントムを所定の撮像条件で撮像したファントム画像のデータであるファントムデータと、心臓ＲＯＩ及び縦隔ＲＯＩを有するデジタルファントムのデータであるデジタルファントムデータとを記憶した記憶部を有する情報処理装置に実行させるためのコンピュータプログラムであって、前記ファントムデータ及び前記デジタルファントムデータに基づいて、前記ファントム画像に前記デジタルファントムの位置合わせを行って、前記心臓ＲＯＩ及び前記縦隔ＲＯＩを設定するステップと、前記心臓ＲＯＩ及び前記縦隔ＲＯＩが設定されている前記ファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出するステップと、前記第１のファントムＨ／Ｍ比を、撮像環境に依存しない前記撮像条件から定まるＨ／Ｍ比に変換するための変換関数を導出するステップと、を前記情報処理装置に実行させる。
【００１２】
本発明の一つの実施態様に従うコンピュータプログラムは、第１の撮像環境におけるＨ／Ｍ比を、第２の撮像環境におけるＨ／Ｍ比へ変換する変換関数によってＨ／Ｍ比を変換するための処理を情報処理装置に実行させるコンピュータプログラムであって、前記情報処理装置は、前記第１の撮像環境で被験者を撮像した被験者画像のデータである被験者データを記憶した記憶部を有し、前記変換関数は、第１の撮像環境でファントムを撮像した第１のファントム画像及び第２の撮像環境で前記ファントムを撮像した第２のファントム画像のデータであるファントムデータと、心臓ＲＯＩ及び縦隔ＲＯＩを有するデジタルファントムのデータであるデジタルファントムデータとに基づいて、前記第１のファントム画像に前記デジタルファントムの位置合わせを行って、前記心臓ＲＯＩ及び前記縦隔ＲＯＩを設定し、かつ、前記第２のファントム画像に前記デジタルファントムの位置合わせを行って、前記心臓ＲＯＩ及び前記縦隔ＲＯＩを設定し、前記心臓ＲＯＩ及び前記縦隔ＲＯＩが設定されている前記第１のファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出し、かつ、前記心臓ＲＯＩ及び前記縦隔ＲＯＩが設定されている前記第２のファントム画像のファントムデータに基づいて、前記第２の撮像環境における前記ファントムのＨ／Ｍ比である第２のファントムＨ／Ｍ比を算出し、
【００１３】
前記第１のファントムＨ／Ｍ比及び前記第２のファントムＨ／Ｍ比に基づいて導出された、前記変換関数であり、前記コンピュータプログラムは、前記被験者データに基づいて、前記被験者画像に心臓ＲＯＩ及び縦隔ＲＯＩを設定するステップと、前記心臓ＲＯＩ及び前記縦隔ＲＯＩが設定されている前記被験者画像の被験者データに基づいて、前記第１の撮像環境における前記被験者のＨ／Ｍ比である第１の被験者Ｈ／Ｍ比を算出するステップと、前記第１の被験者Ｈ／Ｍ比を、前記変換関数を用いて変換するステップと、を前記情報処理装置に実行させる。
【００１４】
本発明の一つの実施態様に従うコンピュータプログラムは、第１の撮像環境の所定の撮像条件におけるＨ／Ｍ比を、撮像環境に依存しない前記撮像条件から定まるＨ／Ｍ比へ変換するための処理を情報処理装置に実行させるコンピュータプログラムであって、前記情報処理装置は、前記第１の撮像環境で被験者を撮像した被験者画像のデータである被験者データを記憶した記憶部を有し、前記変換関数は、前記第１の撮像環境でファントムを前記所定の撮像条件で撮像したファントム画像のデータであるファントムデータと、心臓ＲＯＩ及び縦隔ＲＯＩを有するデジタルファントムのデータであるデジタルファントムデータとに基づいて、前記ファントム画像に前記デジタルファントムの位置合わせを行って、前記心臓ＲＯＩ及び前記縦隔ＲＯＩを設定し、前記心臓ＲＯＩ及び前記縦隔ＲＯＩが設定されている前記ファントム画像のファントムデータに基づいて、前記第１の撮像環境における前記ファントムのＨｅａｒｔ／Ｍｅｄｉａｓｔｉｎｕｍ比（Ｈ／Ｍ比）である第１のファントムＨ／Ｍ比を算出し、前記第１のファントムＨ／Ｍ比及び前記撮像条件から定まるＨ／Ｍ比から導出された、前記変換関数であり、前記コンピュータプログラムは、前記被験者データに基づいて、前記被験者画像に心臓ＲＯＩ及び縦隔ＲＯＩを設定するステップと、前記心臓ＲＯＩ及び前記縦隔ＲＯＩが設定されている前記被験者画像の被験者データに基づいて、前記第１の撮像環境における前記被験者のＨ／Ｍ比である第１の被験者Ｈ／Ｍ比を算出するステップと、前記第１の被験者Ｈ／Ｍ比を、前記変換関数を用いて変換するステップと、を前記情報処理装置に実行させる。
【００１５】
好適な実施態様では、前記被験者画像は、ＭＩＢＧ（１２３Ｉ−３−ｉｏｄｏｂｅｎｚｙｌｇｕａｎｉｄｉｎｅ）が投与された前記被験者を撮像したプラナ画像であってもよい。
【図面の簡単な説明】
【００１６】
【図１】本実施形態に係る情報処理装置１の全体構成を示す。
【図２】ファントム５の一例を示す。
【図３】ファントム５の４層の各アクリル板のそれぞれの平面図を示す。
【図４】変換関数を示す。
【図５】変換関数を算出する手順を示すフローチャートを示す。
【図６】Ｈ／Ｍ比を変換する手順を示すフローチャートを示す。
【発明を実施するための形態】
【００１７】
以下、本発明の一実施形態に係る情報処理装置について、図面を参照して説明する。
【００１８】
本実施形態に係る情報処理装置は、異なる撮像環境で撮像された画像から算出された診断指標であるＨ／Ｍ比を互いに比較可能にするための処理を行う。
【００１９】
本実施形態では、心機能診断薬が投与された被験者を、所定の撮像装置を含むある撮像環境で撮像したプラナ画像、及びファントムに同じ薬剤を保持させて撮像したプラナ画像が用いられる。以下の実施形態では、心機能診断薬としてＭＩＢＧ（１２３Ｉ−３−ｉｏｄｏｂｅｎｚｙｌｇｕａｎｉｄｉｎｅ）を用いた場合について説明する。
【００２０】
図１は、本実施形態に係る情報処理装置１の全体構成を示す。同図に示すように、情報処理装置１は、情報処理装置本体１０に入力装置２、出力装置３及び入出力装置４の一つ以上が接続されている。情報処理装置本体１０は、例えば、プロセッサ及びメモリを備えた汎用的なコンピュータシステムにより構成され、以下に説明する情報処理装置本体１０内の個々の構成要素または機能は、例えば、コンピュータプログラムを実行することにより実現される。このコンピュータプログラムは、コンピュータが読み取り可能な記録媒体に格納することができる。入力装置２は、例えば、キーボード、ポインティングデバイスなどでよい。出力装置３は、例えば、ディスプレイ装置、プリンタなどでよい。入出力装置４は、例えば、大容量記憶装置あるいはネットワークインタフェース装置などで良い。
【００２１】
情報処理装置本体１０は、ファントム画像データ記憶部１１と、デジタルファントムデータ記憶部１３と、Ｈ／Ｍ比データ記憶部１５と、変換関数記憶部１７と、被験者画像データ記憶部１９と、位置合わせ処理部２１と、ＲＯＩ設定部２３と、Ｈ／Ｍ比算出部２５と、変換関数算出部２７と、Ｈ／Ｍ比変換処理部２９とを備える。
【００２２】
ファントム画像データ記憶部１１は、異なる撮像環境で所定の撮像条件に調整されたファントムを撮像したファントム画像のデータであるファントム画像データを記憶する。ファントム画像データは、例えば、入力装置２または入出力装置４を介して取得する。ファントム画像データ記憶部１１には、例えば、第１の撮像環境、第２の撮像環境などの撮像環境別、及び撮像条件別にファントム画像データが記憶されている。撮像環境とは、例えば、撮像装置が設置されている施設、撮像装置の機種、撮像時に用いられるコリメータの種類等により特定される。撮像条件とは、ファントムの種類（後述するファントムの構造の違い）及び撮像方向（後述する平板状のファントムの平面視で表または裏）などにより定まる。
【００２３】
本実施形態では、所定の撮像条件でファントムを撮像したファントム画像が用いられる。すなわち、ファントム画像は、各撮像環境で複数の共通の撮像条件で撮像されたファントムの画像である。本実施形態では、例えば、各撮像環境で４つの異なる撮像条件で撮像されたファントム画像が用いられる。
【００２４】
以下、本実施形態で共通に用いられるファントムの構造について説明する。ファントムは、所定の厚みを有し、人体の胸部の断面を模した平板形状を有する。ファントムは、その内部に液体が収容可能な空間を有する。ファントム内部の空間には、被験者に投与する薬剤と同じ薬剤を含む溶液を収容することができる。ファントム内部の空間は、人体（バックグラウンド）領域と、その人体領域内にさらに設けられた心臓領域、甲状腺領域、肝臓領域、肺領域などの各臓器に対応する領域とがある。それぞれの領域は互いに連通している。以下、具体例を用いてさらに詳細に説明する。なお、ここで必要とされる臓器の領域は、用いる薬剤の種類に応じて異なるようにしても良い。
【００２５】
図２は、ファントム５の一例を示す。同図Ａは、ファントム５の平面図であり、同図Ｂは、ファントム５の側面図である。
【００２６】
同図に示すファントム５は、４枚の透明のアクリル板５１〜５４を階層状に重ねた４層構造で構成される。各アクリル板５１〜５４の構成は後述する。４枚のアクリル板５１〜５４は、さらに、同じ材質で構成される透明な板材である外層板５０，５０で挟まれている。外層板５０の厚みは例えば１０ｍｍである。ファントム５は、同図Ａに示すような平面視において、人体領域６１と、心臓領域６２と、肝臓領域６３と、甲状腺領域６４と、肺領域６５（６５ａ，６５ｂ）とを有する。ただし、後述するように、これらの各領域６１〜６５はすべて連通している。以下、この連通している領域を内部空間と呼ぶ。ファントム５は、さらに注入／排出口６０を有する。ファントムの内部空間は、注入／排出口６０を介して外部と連通している。つまり、注入／排出口６０を介して、ファントム５の内部空間に、液体の注入及び排出を行うことができる。注入／排出口６０はネジ式の栓６０ａによって封止され、内部空間が密閉される。
【００２７】
図３は、４層の各アクリル板のそれぞれの平面図である。
【００２８】
同図Ａは第１層のアクリル板５１を示す。第１層のアクリル板５１は、人体領域６１を形成するための開口５１ａを有する。第１層のアクリル板５１の厚みは例えば１５ｍｍである。
【００２９】
同図Ｂは第２層のアクリル板５２を示す。第２層のアクリル板５２は、心臓領域６２、肝臓領域６３、甲状腺領域６４、及び肺領域６５をそれぞれ形成するための開口５２ｂ，５２ｃ，５２ｄ，５２ｅを有する。第２層のアクリル板５２の厚みは例えば５ｍｍである。
【００３０】
同図Ｃは第３層のアクリル板５３を示す。第３層のアクリル板５３は、心臓領域６２及び肝臓領域６３を形成するための開口５３ｂ，５３ｃを有する。第３層のアクリル板５３の厚みは例えば５ｍｍである。
【００３１】
同図Ｄは第４層のアクリル板５４を示す。第４層のアクリル板５４は、肝臓領域６３を形成するための開口５４ｃを有する。第４層のアクリル板５４の厚みは例えば５ｍｍである。
【００３２】
アクリル板５１〜５４を重ねると、平面視において同じ場所に位置する各開口が厚み方向でつながり、内部空間が形成される。その結果、人体領域６１、心臓領域６２、肝臓領域６３、甲状腺領域６４、及び肺領域６５は、それぞれ厚み方向の幅が異なるので、それに応じて各領域６１〜６５に存在する溶液の厚み方向の深さが異なる。例えば、心臓領域６２は、開口５１ａ，５２ｂ，５３ｂで形成され、甲状腺領域６４は、開口５１ａ、５２ｄで形成される。その結果、均一な薬剤濃度の溶液で内部空間が充填されると、各領域６１〜６５はそれぞれの厚みに応じて単位面積あたり異なる放射能量が蓄積されることになる。
【００３３】
第１〜第４層のアクリル板５１〜５４及び外層板５０，５０の厚みは、上述したものに限られない。従って、これと異なる厚みを有する第１〜第４層のアクリル板５１〜５４及び外層板５０，５０でファントムを構成しても良い。本実施形態では、第１〜第４層の厚みの異なる複数のタイプのファントムを用いて撮像したファントム画像を用いる。すなわち、ファントム画像データ記憶部１１には、少なくとも、各撮像環境で、２種類のファントムを表及び裏から撮像して得られる、撮像条件が異なる４枚のファントム画像のデータが記憶される。
【００３４】
図１に戻ると、デジタルファントムデータ記憶部１３は、デジタルファントムデータを記憶する。デジタルファントムデータは、例えば、入力装置２または入出力装置４を介して取得する。デジタルファントムデータは、上述した実物のファントム５の平面視における形状を示すデータである。すなわち、デジタルファントムデータは、図２Ａに示すファントム５内の各領域６１〜６５の相対的な位置及び形状を示す。デジタルファントムデータには、さらに、所定領域にＲＯＩ（Ｒｅａｇｉｏｎ  ｏｆ  Ｉｎｔｅｒｅｓｔ）を設定するためのデータを有する。例えば、本実施形態であれば、デジタルファントムデータには、心臓ＲＯＩ及び縦隔ＲＯＩを設定するための領域を示すデータが含まれる。
【００３５】
Ｈ／Ｍ比データ記憶部１５は、Ｈ／Ｍ比算出部２５によって算出されたＨ／Ｍ比のデータを記憶する。Ｈ／Ｍ比データ記憶部１５には、入力装置２または入出力装置４から取得したＨ／Ｍ比のデータを記憶しても良い。
【００３６】
変換関数記憶部１７は、変換関数算出部２７によって算出された変換関数を示すデータが記憶される。例えば、変換関数記憶部１７には、変換関数と、変換前後の撮像環境の識別情報とが対応づけて記憶される。撮像環境の識別情報としては、例えば、施設名、撮像装置の機種及びコリメータの種類等の組み合わせでも良い。ある撮像環境から、後述する理論上のＨ／Ｍ比への変換関数の場合、変換前の撮像環境と理論値への変換であることを示す情報が対応づけられている。変換関数記憶部１７には、入力装置２または入出力装置４から取得した変換関数のデータを記憶しても良い。
【００３７】
被験者画像データ記憶部１９は、ＭＩＢＧが投与された被験者を撮像したプラナ画像である被験者画像の画像データを記憶する。被験者画像データは、例えば、入力装置２または入出力装置４を介して取得する。被験者画像の各画素値はＲＩのカウント値を示す。各被験者画像は、それぞれ撮像環境を示す情報と対応づけられている。
【００３８】
位置合わせ処理部２１は、ファントム画像データ記憶部１１に保存されているファントム画像データ及びデジタルファントムデータ記憶部１３に保存されているデジタルファントムデータを取得し、ファントム画像に対してデジタルファントムデータの位置を合わせる位置合わせを行う。この位置合わせ処理は、例えば公知の位置合わせアルゴリズムを用いることができる。ここで、デジタルファントムデータは、ファントム画像の心臓領域及び縦隔領域に対応する心臓ＲＯＩ及び縦隔ＲＯＩを有する。従って、ファントム画像データにデジタルファントムが位置合わせされると、自動的に心臓ＲＯＩ及び縦隔ＲＯＩも設定される。すなわち、位置合わせ処理部２１は、デジタルファントムを位置合わせすることによりＲＯＩを設定する。
【００３９】
これにより、ファントム画像に対するＲＯＩ設定が標準化される。そのため、ＲＯＩ設定に関しては術者間のバラツキがなくなり、Ｈ／Ｍ比の精度が向上する。
【００４０】
位置合わせ処理部２１は、被験者画像データ記憶部１９に保存されている被験者画像に対しても同様に、デジタルファントムの位置合わせを行ってもよい。
【００４１】
ＲＯＩ設定部２３は、被験者画像データ記憶部１９から被験者画像データを取得し、被験者画像の所定の領域にＲＯＩを設定する。例えば、ＲＯＩ設定部２３は、被験者画像の心臓領域及び縦隔領域に、それぞれ心臓ＲＯＩ及び縦隔ＲＯＩを設定する。このＲＯＩ設定は、例えば、特許文献１に記載の手法を用いても良い。なお、オペレターが手作業でＲＯＩを設定する場合には、ＲＯＩ設定部２３による処理を省略することができる。
【００４２】
位置合わせ処理部２１で被験者画像に対してデジタルファントムの位置合わせを行ったときは、ＲＯＩ設定部２３によるＲＯＩ設定を省略しても良い。
【００４３】
Ｈ／Ｍ比算出部２５は、ファントム画像データまたは被験者画像データに基づいて、Ｈ／Ｍ比を算出する。Ｈ／Ｍ比算出部２５は、例えば、ファントム画像または被験者画像に設定された心臓ＲＯＩ及び縦隔ＲＯＩ内の画素値（カウント値）に基づいて、Ｈ／Ｍ比を算出する。例えば、Ｈ／Ｍ比算出部２５は、心臓ＲＯＩのカウント値の平均値、及び縦隔ＲＯＩ内のカウント値の平均値を算出し、縦隔ＲＯＩ内のカウント値の平均値を分母として両者の比を算出する。Ｈ／Ｍ算出部２５は、対象画像がファントム画像及び被験者画像のいずれであっても、対象画像に基づいてＨ／Ｍ比を算出する。Ｈ／Ｍ比算出部２５が算出したＨ／Ｍ比は、出力装置３に表示させるようにしてもよい。
【００４４】
変換関数算出部２７は、ある撮像環境から求まるＨ／Ｍ比を、別の撮像環境から求まるＨ／Ｍ比または理論上のＨ／Ｍ比へ変換する変換関数を算出する。算出された変換関数のデータは、変換関数記憶部１７に保存される。
【００４５】
例えば、図４に示すように、変換関数算出部２７は、ある撮像環境（第１の撮像環境）で撮像した画像から算出したＨ／Ｍ比を、別の撮像環境（第２の撮像環境）で撮像した画像から算出されるべきＨ／Ｍ比へ変換する変換関数を算出する。変換関数算出部２７は、Ｈ／Ｍ比データ記憶部１５から第１の撮像環境で複数の撮像条件で撮像したファントム画像から算出した複数のＨ／Ｍ比、及び第２の撮像環境で上記の撮像条件と共通の撮像条件で撮像したファントム画像から算出された複数のＨ／Ｍ比のデータを読み出す。そして、変換関数算出部２７は、共通の撮像条件のＨ／Ｍ比を対応づけて、図４に示すグラフ上にプロットし、回帰分析を行って両者を変換するための関数を導出する。
【００４６】
この変換関数によれば、例えば、第１の撮像環境を有する施設と、第２の撮像環境を有する施設など、異なる施設で撮像された画像から算出されたＨ／Ｍ比が比較可能となる。あるいは、同一施設であっても、撮像装置を交換した場合など撮像環境を変更したときに、変更前の撮像環境で撮像された画像から算出したＨ／Ｍ比と、変更後の撮像装置で撮像された画像から算出したＨ／Ｍ比とを比較可能にするための変換関数を、変換関数算出部２７を用いて算出できる。
【００４７】
また、変換関数算出部２７は、ある撮像環境で撮像した画像から算出したＨ／Ｍ比を、撮像環境に依存しない理論値に標準化する関数を算出する。変換関数算出部２７は、Ｈ／Ｍ比データ記憶部１５から、ある撮像環境で複数の撮像条件で撮像したファントム画像から算出したＨ／Ｍ比を読み出す。このとき、撮像条件として、ファントムの構成（例えば材質、厚さ等）、及び内部空間に収容されている薬剤の種類、濃度等が予め定められた状態に調整されている。この撮像条件に基づいて、ファントムによる放射線の散乱及び吸収なども考慮した上で、そのファントム画像から求められるＨ／Ｍ比が理論的に定まる。そこで、変換関数算出部２７は、撮像されたファントム画像から求めたＨ／Ｍ比と理論上のＨ／Ｍ比とに基づいて、回帰分析を行って両者を変換するための変換関数を導出する。
【００４８】
上述のように、デジタルファントムを用いてファントム画像にＲＯＩを自動設定することによりＨ／Ｍ比の精度が向上している。本実施形態では、このＨ／Ｍ比を用いて変換関数を算出しているので、変換関数も精度よく算出することができる。
【００４９】
Ｈ／Ｍ比変換処理部２９は、変換関数記憶部１７から所望の変換関数のデータを取得し、Ｈ／Ｍデータ記憶部１５に保存されているＨ／Ｍ比の変換を行う。例えば、Ｈ／Ｍ比変換処理部２９は、第１の撮像環境で撮像した被験者画像から算出したＨ／Ｍ比を、第２の撮像環境で撮像した被験者画像から算出されるべきＨ／Ｍ比へ変換するためには、それに対応する変換関数のデータを変換関数記憶部１７から取得し、その変換関数を用いてＨ／Ｍデータ記憶部１５に保存されているＨ／Ｍ比の変換処理を行う。あるいは、Ｈ／Ｍ比変換処理部２９は、同様にして、ある撮像環境で撮像した被験者画像から算出したＨ／Ｍ比を、理論上のＨ／Ｍ比へ変換する。
【００５０】
上述のように、変換関数の精度が高いので、被験者画像から求めたＨ／Ｍ比の変換も高精度で行うことができる。
【００５１】
上記のような構成を備える本実施形態の情報処理装置は、以下に説明する手順で変換関数の算出及びＨ／Ｍ比の変換処理を行う。
【００５２】
図５は、変換関数を算出する手順を示すフローチャートである。ここでは、第１の撮像環境のＨ／Ｍ比を第２の撮像環境のＨ／Ｍ比へ変換する関数、及び第１の撮像環境のＨ／Ｍ比を理論上のＨ／Ｍ比へ変換する関数を算出する処理について説明する。
【００５３】
第１及び第２の撮像環境において、所定の撮像条件で撮像された複数のファントム画像の画像データをファントム画像データ記憶部１１に保存する（Ｓ１１）。この画像データは、各ファントム画像を撮像した撮像環境及び撮像条件を示す識別情報と対応づけて保存される。デジタルファントムデータは、デジタルファントムデータ記憶部１３に保存される（Ｓ１３）。画像データ及びデジタルファントムデータは、例えば、入出力装置４を介して外部から取得しても良い。ファントム画像データとデジタルファントムデータとが準備されると、これ以降の処理が実行可能となる。ステップＳ１１とＳ１３はいずれを先に行っても良いし、既にこれらのデータが準備されているときには、それぞれ対応するステップを省略することができる。また、本実施形態では、複数のファントム画像のデータをファントム画像データ記憶部１１に蓄積してからステップＳ１５以降を行っているが、一つのファントム画像の画像データをファントム画像データ記憶部１１に蓄積するごとにステップＳ１５以降を行うようにしても良い。
【００５４】
位置合わせ処理部２１は、一つのファントム画像を処理対象とし、ファントム画像データ記憶部１１から処理対象のファントム画像の画像データを読み出す。位置合わせ処理部２１はさらに、デジタルファントムデータ記憶部１３からデジタルファントムデータを読み出す。そして、位置合わせ処理部２１は、処理対象のファントム画像に対してデジタルファントムの位置合わせを行う。これにより、同時にファントム画像の心臓領域及び縦隔領域にＲＯＩが設定される（Ｓ１５）。
【００５５】
Ｈ／Ｍ比算出部２５が、ステップＳ１５でファントム画像に設定されたＲＯＩ内の画像のカウント値に基づいて、Ｈ／Ｍ比を算出する（Ｓ１９）。ここで算出されたＨ／Ｍ比のデータはＨ／Ｍ比データ記憶部１５に保存される。
【００５６】
ここで、処理対象のファントム画像のすべてについてＨ／Ｍ比の算出が終わるまで、ステップＳ１５へ戻り、Ｈ／Ｍ比の算出処理を繰り返す（Ｓ２１：Ｎｏ）。
【００５７】
処理対象のファントム画像のすべてのＨ／Ｍ比の算出が終わると（Ｓ２１：Ｙｅｓ）、変換関数算出部２７がＨ／Ｍ比データ記憶部１５から第１及び第２の撮像環境のファントム画像から算出したＨ／Ｍ比のデータを読み出し、２つの環境間の変換関数を算出する（Ｓ２３）。また、第１の撮像環境のＨ／Ｍ比を理論上のＨ／Ｍ比へ変換する変換関数を算出する場合は、変換関数算出部２７が予め有している、撮像条件毎の理論上のＨ／Ｍ比を用いて変換関数を算出する。変換関数算出部２７が算出した変換関数を示すデータが変換関数記憶部１７に保存される。
【００５８】
ここで算出された変換関数に関する情報は、出力装置３によって出力されても良い。
【００５９】
次に、図６は、上記の変換関数を用いて、第１の撮像環境で被験者を撮像した画像から求めたＨ／Ｍ比を変換する手順を示すフローチャートである。
【００６０】
第１の撮像環境において、ＭＩＢＧが投与された被験者を撮像した被験者画像の画像データを被験者画像データ記憶部１９に保存する（Ｓ３１）。画像データは、例えば、入出力装置４を介して外部から取得しても良い。被験者画像データが準備されると、これ以降の処理が実行可能となる。既に被験者画像データが準備されているときには、ステップＳ３１を省略することができる。
【００６１】
ＲＯＩ設定部２３は、被験者画像データ記憶部１９から処理対象の被験者画像の画像データを読み出す。ＲＯＩ設定部２３は、さらに、対象の被験者画像に対して、心臓領域及び縦隔領域にＲＯＩを設定する（Ｓ３７）。
【００６２】
Ｈ／Ｍ比算出部２５が、ステップＳ３７で設定されたＲＯＩ内の画像のカウント値に基づいて、Ｈ／Ｍ比を算出する（Ｓ３９）。ここで算出されたＨ／Ｍ比のデータはＨ／Ｍ比データ記憶部１５に保存される。
【００６３】
Ｈ／Ｍ比変換処理部２９は、Ｈ／Ｍ比データ記憶部１５からステップＳ３９で算出されたＨ／Ｍ比のデータを読み出し、変換関数記憶部１７から所望の変換関数のデータを読み出す。そして、Ｈ／Ｍ比変換処理部２９は、その変換関数を用いて、Ｈ／Ｍ比を変換する（Ｓ４１）。例えば、Ｈ／Ｍ比変換処理部２９は、変換関数記憶部１７から第１の撮像環境から第２の撮像環境へ変換するための変換関数のデータを読み出し、第１の撮像環境のＨ／Ｍ比を第２の撮像環境のＨ／Ｍ比へ変換する。あるいは、Ｈ／Ｍ比変換処理部２９は、変換関数記憶部１７から第１の撮像環境のＨ／Ｍ比を理論上のＨ／Ｍ比へ変換するための変換関数のデータを読み出し、第１の撮像環境のＨ／Ｍ比を理論値へ変換する。
【００６４】
この変換前後のＨ／Ｍ比は、出力装置３によって出力されても良い。
【００６５】
本実施形態によれば、ＭＩＢＧなどの心機能診断薬が投与された被験者を異なる撮像環境で撮像した画像から算出したＨ／Ｍ比を互いに精度良く比較することが可能となる。特に、Ｈ／Ｍ比を理論値へ変換することにより、撮像環境に依存しないＨ／Ｍ比に精度良く標準化することができる。
【００６６】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００６７】
１  情報処理装置、５  ファントム、１０  情報処理装置本体、１１  ファントム画像データ記憶部、１３  デジタルファントムデータ記憶部、１５  Ｈ／Ｍ比データ記憶部、１７  変換関数記憶部、１９  被験者画像データ記憶部、２１  位置合わせ処理部、２３  ＲＯＩ設定部、２５  Ｈ／Ｍ比算出部、２７  変換関数算出部、２９  Ｈ／Ｍ比変換処理部
【図１】
2014215221.tif 000003
【図２】
2014215221.tif 000004
【図３】
2014215221.tif 000005
【図４】
2014215221.tif 000006
【図５】
2014215221.tif 000007
【図６】
2014215221.tif 000008